(57)【要約】【課題】【解決手段】フック（２９）を有するクランプカラーが、ラグ（３０）に係合されるのに適している。プライヤの第１の顎部（２０）が、保持部材（４６）を装着されており、この保持部材は、フック又はラグを前記顎部に保持するように、フック又はラグと共同し得る保持位置と、フック又はラグを前記顎部から外す外し位置（６）との間で、前記顎部に対して移動されるように装着されている。好ましくは、各々の前記顎部は、このような保持部材を与えられており、これら２つの保持部材は、夫々、ホックの下方、及び、ラグの下方に係合されるのに適しており、この目的を果たすように、ラグは、凹部を有する。
2004515368.tif 000002
【特許請求の範囲】
【請求項１】
径方向の突出部即ちラグ（３０）と、カラーを締めるようにラグと係合されるのに適したフック（２９）とを夫々有する２つの端部（２８Ａ、２８Ｂ、２８’Ａ、２８’Ｂ）を有するクランプカラー（２８、２８’）を締めるように設計されており、また、ラグと共同するのに適した顎部と、フックと共同するのに適した顎部とであって、ラグにフックを係合させるように互いに向かって移動されるのに適した２つの顎部（１８、２０）を具備するプライヤにおいて、
第１の顎部（１８、２０）が、保持部材（４５、４６）を装着されており、この保持部材は、ラグ（３０）で構成された部材と、フック（２９）で構成された部材との少なくとも１つを前記第１の顎部に保持するように、この部材と共同し得る保持位置（図３）と、この部材を前記第１の顎部に対して外す外し位置（図６）との間で、前記第１の顎部に対して移動されるように装着されていることを特徴とするプライヤ。
【請求項２】
前記第１の顎部（１８、２０）は、第２の顎部（２０、１８）に対面する当接面（４３、４４）を有し、また、前記保持部材（４５、４６）は、前記第２の顎部に向かう方向に、前記当接面を越えて配置されていることを特徴とする請求項１のプライヤ。
【請求項３】
前記保持部材（４５、４６）は、軸（Ｄ）に対して横方向（Ｔ）に移動されるように装着されており、この軸（Ｄ）に沿って、前記顎部（１８、２０）は、互いに接離するように移動され得ることを特徴とする請求項１又は２のプライヤ。
【請求項４】
前記保持部材（４５、４６）を、前記保持位置へと連続して付勢している弾性戻し手段（５２）を有することを特徴とする請求項１ないし３のいずれか１のプライヤ。
【請求項５】
プライヤを閉じていくとき、前記保持部材を前記外し位置（図６）に付勢するように、前記保持部材（４５、４６）と共同し得る付勢部材（５３、５４）を有することを特徴とする請求項１ないし４のいずれか１のプライヤ。
【請求項６】
前記保持部材は、前記第１の顎部（１８、２０）に枢支（Ａ４５、Ａ４６）されているレバー（４５、４６）により形成されていることを特徴とする請求項１ないし５のいずれか１のプライヤ。
【請求項７】
前記両顎部（１８、２０）は、前記軸（Ｄ）に沿って互いに接離するように移動され得、この軸（Ｄ）にほぼ平行な角度位置付け軸（Ｂ）を中心として、第１及び第２の支持アーム（１４、１６）の夫々に対して回動され得るように、第１及び第２の支持アームの夫々に装着されていることを特徴とする請求項１ないし６のいずれか１のプライヤ。
【請求項８】
前記角度位置付け軸（Ｂ）を中心として回動されているとき、共に移動されるように、前記２つの顎部（１８、２０）を制約しているための手段（８０）を有することを特徴とする請求項７のプライヤ。
【請求項９】
前記顎部（１８、２０）が、互いに離隔されているときには展開位置（図２）を、前記顎部（１８、２０）が、互いに締められているときには折畳み形態（図５）をとり得る枢支された接続ピン（８０）によって、前記２つの顎部は、共に回動されるように制約されていることを特徴とする請求項８のプライヤ。
【請求項１０】
前記接続ピン（８０）は、夫々のリンク（８４、８６）によって前記２つの顎部（１８、２０）の各々に接続されている硬質ピン部分（８２）を有することを特徴とする請求項９のプライヤ。
【請求項１１】
前記付勢部材（５３、５４）は、前記接続ピン（８０）に保持されていることを特徴とする請求項５、９、又は、１０のプライヤ。
【請求項１２】
前記２つの顎部（１８、２０）は、同一であることを特徴とする請求項１ないし１１のいずれか１のプライヤ。
【請求項１３】
請求項１ないし１２のいずれか１のプライヤと、このプライヤによって締められるクランプカラー（２８）とを具備するキットにおいて、
ラグ（３０）は、互いに離隔されている２つの折畳み部分（３０Ｂ、３０Ｃ）を有し、これら折畳み部分間に凹部（３０’）を与えており、そして、前記保持部材（４５、４６）は、この凹部内に収容され得ることを特徴とするキット。
【発明の詳細な説明】
【０００１】
【発明の属する技術分野】
本発明は、径方向の突出部即ちラグと、カラーを締めるようにラグと係合されるのに適したフックとを夫々有する２つの端部を有するクランプカラーを締めるように設計されており、また、ラグと共同するのに適した顎部と、フックと共同するのに適した顎部とであって、ラグにフックを係合させるように互いに向かって移動されるのに適した２つの顎部を具備するプライヤに関する。
【０００２】
【従来の技術】
プライヤを閉じることにより、フックが、ラグを通過して係合されるまで、フックをラグに近づけることによって、カラーの直径が、減少される。カラーを締めるため、最初に、カラーは、開いた状態でクランプされる対象の周りに配置され、そして、正確に位置決めされ、その後、上述した作動が、プライヤを用いて行われる。
【０００３】
幾つかの場合、カラーは、非常に厳密に位置決めされなければならない。例えば、カラーが、漏れのない方法（ｌｅａｋｔｉｇｈｔ  ｍａｎｎｅｒ）でパイプを端部ピースに締めるように働くとき、これは当てはまり、この方法は、例えば、端部ピースに存在している２つのビード間の、端部ピースの特定の領域に適用される締める力を必要とする。また、カラーが、パイプにおいて、特定の方法で角度を位置付けられることが必要であり得る。
【０００４】
【発明が解決しようとする課題】
カラーが、締められる対象に開いた状態で配置されるとき、例えば、カラーの軸を中心にして回転されることによって、対象に対してわずかに移動されることがあり得る。加えて、フック及びラグの夫々にプライヤの顎部を配置する場合、カラーは、不注意で、わずかに移動されることがあり得る。従って、締める前にカラーを元の位置に戻すこと、又は、一方の手でカラーを保持しつつ、他方の手で締めることが、必要である。
【０００５】
加えて、プライヤの顎部は、通常、フックの後方及びラグの後方に単に配置されるだけである。よって、操作中に、フック又はラグが、これらに適用されている顎部から外れるような、不適切な操作上のエラーが、起こり得る。この場合、締める作動全体が、再び開始されなければならない。
【０００６】
本発明の目的は、締めている間、カラーの位置決めを比較的良く制御することによって、また、カラーが、プライヤの顎部から外れることを防止することによって、締める作動を容易にすることを可能にしている上述したタイプの締め付けプライヤを提供することである。
【０００７】
【課題を解決するための手段】
この目的は、第１の顎部が、保持部材を装着されており、この保持部材は、ラグで構成された部材と、フックで構成された部材との少なくとも１つを前記第１の顎部に保持するように、この部材と共同し得る保持位置と、この部材を前記第１の顎部から外す外し位置との間で、前記第１の顎部に対して移動されるように装着されているという事実によって達成される。
【０００８】
これらを提供することによって、プライヤの前記顎部が、カラーに適用されているとき、フック又はラグは、共同している前記顎部に保持されている。これは、カラーが、プライヤから外れることを防止している。従って、カラーは、前記保持部材によって、プライヤに一時的に保持されているため、カラーが、不適切に位置付けられている場合、この位置は、プライヤを操作することによって調整され得る。加えて、これは、プライヤを閉じている間、前記保持部材を有する前記顎部が、フック又はラグに対してすべるのを防止している。
【０００９】
好ましくは、前記第１の顎部は、第２の顎部に対面する当接面を有し、また、前記保持部材は、前記第２の顎部に向かう方向に、前記当接面を越えて配置されている。
【００１０】
従って、顎部が、フックで構成されている部材と、ラグで構成されている部材との１つに配置されたとき、この部材は、前記当接面と、この当接面の前方に夫々配置されている前記保持部材とに当接され、これら保持部材は、この部材を所定の位置に保持している。
【００１１】
好ましい一実施形態で、前記顎部は、軸に沿って互いに接離するように移動され得、また、前記保持部材は、この軸に対して横方向に移動されるように装着されている。
従って、前記保持部材は、簡単かつコンパクトに配置され得る。
【００１２】
好ましくは、前記プライヤは、前記保持部材を、前記保持位置へと連続して付勢している弾性戻し手段を有する。
この場合、前記保持部材を有する前記顎部が、フックで構成されている部材と、ラグで構成されている部材との１つに配置されているときはいつでも、この部材は、前記保持位置に自動的に位置されている前記保持部材によって、前記顎部に自動的に保持されている。
【００１３】
好ましくは、前記プライヤは、プライヤを閉じていくとき、前記保持部材を前記外し位置に付勢するように、前記保持部材と共同し得る付勢部材を有する。
この場合、単にプライヤを閉じることによって、前記保持部材は、保持していた部材（フック又はラグ）から外される。好ましくは、前記保持部材が、プライヤが、閉じられたときにのみ前記外し位置に達するように、前記付勢部材は、配置されている。これは、カラーが、適切に締められている限り、プライヤが、カラーから分離することを防止することによって、締め付けの信頼性を増大する。
【００１４】
好ましくは、前記保持部材は、前記第１の顎部に枢支されているレバーにより形成されている。
例えば、爪状の形態の、枢支されている前記レバーは、特定の簡単な一実施形態を構成している。
【００１５】
好ましくは、各々の顎部は、類似の前記保持部材を有する。
フックとラグとは、マッチしている形態を有するため、これら２つの突出部材は、前記２つの顎部の夫々に保持され得る。加えて、前記顎部が、互いにほぼ同一である場合、これら顎部のどちらであってもフック又はラグに適用され得、一方の顎部が、フックに特に適用され、他方が、ラグに特に適用されるということはない。
【００１６】
好ましい一実施形態で、前記顎部は、前記軸に沿って互いに接離するように移動され得、この軸にほぼ平行な角度位置付け軸を中心として、第１及び第２の支持アームの夫々に対して回動され得るように、第１及び第２の支持アームの夫々に装着されている。
【００１７】
締められる対象の周囲の隙間が、プライヤを、カラーの軸に垂直な径方向平面内でカラーに向かって移動させることが可能なほど充分でない場合がある。又は、ごく単純に、様々な実施上の理由により、使用者が、このような径方向平面に対してプライヤの角度を位置付けることを望む場合がある。これは、前記顎部を前記支持アームに対して回動可能にすることによって、可能にされる。
【００１８】
例えば、プライヤをカラーに垂直に配置すること、及び、プライヤを、締め付けの実施に比較的適した位置に配置するように、角度を位置付けることが、可能である。また、プライヤをカラーに向かって移動させることを容易にするような適切な位置に、前記顎部が、角度を位置付けられることが、可能である。
【００１９】
この場合、好ましくは、前記プライヤは、前記２つの顎部が、前記角度位置付け軸を中心として回動されているとき、共に移動されるように、これら顎部を互いに制約しているための手段を有する。
【００２０】
このように、前記顎部を共に回動するように制約することは、一方の顎部が、角度位置付け軸を中心として回動されているとき、他方の顎部が、他方の角度位置付け軸を中心として同時に同じ角度だけ回動されることを意味する。
【００２１】
前記２つの顎部を共に回動するように制約するための手段は、これら２つの顎部が、常に同じ角度の位置にあることを確保するため、プライヤの操作をずっと容易にする。
【００２２】
好ましくは、前記顎部が、互いに離隔されているときには展開位置を、前記顎部が、互いに締められているときには折畳み形態をとり得る枢支された接続ピンによって、前記２つの顎部は、共に回動されるように制約されている。
【００２３】
この枢支された接続ピンは、前記２つの顎部を共に回動させるように制約するための簡単な手段を構成し、また、いかなるようにも、プライヤが閉じるのを妨げない。
【００２４】
【発明の実施の形態】
何ら限定することのない例として示されている一実施形態の以下の詳細な説明を読むことによって、本発明は、より良く理解され、その利点は、より明らかになるだろう。この説明は、添付図面を参照して与えられている。
【００２５】
図１で示されているプライヤは、軸Ａを中心として互いに対して回動されるように装着されている２つの駆動アーム１０、１２を有する。前記プライヤは、２つの支持アーム１４、１６も有し、これらの各々が、夫々の顎部１８、２０を有する。示されている例では、前記プライヤは、適用する力を倍増するシステムを有し、即ち、前記支持アーム１６は、前記駆動アーム１２とアラインメントされて延びている一方で、前記支持アーム１４は、リンクシステム２２を介して、前記駆動及び支持アーム１２及び１６と接続されており、このリンクシステムは、カムシステム２４を介して、前記駆動アーム１０に接続されている。
【００２６】
本発明は、プライヤの顎部に関し、そして、本発明は、力倍増システムを有さないプライヤ、又は、示されているシステムと異なった力倍増システムを有するプライヤに適用されることが、理解されるべきである。
【００２７】
図１で示されているように、前記プライヤは、開かれており、また、前記顎部は、離隔している。前記プライヤは、前記支持アーム１４と１６との間に配置されている戻しばね２６によって、この開かれている位置に付勢されている。
【００２８】
２つの端部が見られ得るクランプカラー２８が、プライヤの複数の前記顎部間に配置される。第１の端部２８Ａが、フック２９を有し、また、第２の端部２８Ｂが、ラグ３０を有する。図８で示されているように、カラーを締めるため、前記フック２９を前記ラグ３０に係合させることが、必要である。
図１で示されている例で、前記カラー２８は、前記ラグ３０を越えて前記端部２８Ｂを延ばしている拡張部３１即ち「後端部」を有する。
【００２９】
図８のカラー２８’は、ＥＰ  ０，７２４，１０６で開示されているタイプである。第１の端２８’Ｂで、前記ラグ３０を有し、また、第２の端で、前記後端部３１’を有する第１の辺状部材を、このカラーは有する。前記フック２９は、前記第１の辺状部材に装着されている別の辺状部材の端部２８’Ａに形成されている。図２で、前記顎部に係合されているのは、このタイプのカラーである。
【００３０】
前記顎部１８、２０の各々は、夫々の顎ピース３８、４０を有し、これら顎ピースは、前記支持アーム１４、１６に対応しているスタッド３８Ａ、４０Ａによって保持され、夫々、２つの頬部３８Ｂ、３８Ｃ又は４０Ｂ、４０Ｃを有する。
【００３１】
前記顎部１８は、前記顎部２０と同一であるから、前記顎部２０が、比較的詳細に示される。以下で、前記顎部の前面が、他の顎部に対面している面であり、一方、背面が、前面に対向しているとみなす。
【００３２】
前記顎ピース４０の前面は、セットバック部（ｓｅｔｂａｃｋ）４２を有し、このセットバック部は、頂部で、張り出しゾーン４４によって規定される。前記ゾーン４４の表面は、前記ラグ３０の基端部３０Ａ、又は、前記フック２９の基端部２９Ａ（図８参照）のための当接面を形成している。例として、図２は、前記ラグ３０を前記顎部４０と係合させるように、また、前記フック２９を前記顎部３８と係合させるように配置することによって、カラーが、プライヤの前記顎部とどのように共同するか示している。前記フック及びラグの背面部分が、前記顎部が有するセットバック部４２及び４１の夫々に係合され、そして、夫々の前記基端部が、夫々の前記当接面４４及び４３に当接しているのが、見られ得る。
【００３３】
各々の前記顎部は、保持部材を有し、夫々、前記顎部１８について４５、前記顎部２０について４６である。これら両方は、図４で見られ得る。前記顎部２０に保持されている前記保持部材４６は、以下で詳細に示される。前記保持部材は、レバーにより構成されており、このレバーの自由端部は、図２で示されているように、前記ラグが、前記顎部２０と係合されるとき、前記ラグ３０の下に係合されるのに適している爪状部分４６Ａの形態である。前記レバーの基端部４６Ｂ、即ち、前記自由端部４６Ａに対向している端部が、回動軸Ａ４６を中心にして回動するように、前記顎部２０に枢支されている。より厳密には、前記レバーの基端部は、スタッド４８等により、前記顎ピース４０の頬部４０Ｂに保持されている。
【００３４】
前記保持部材４６が、前記当接面４４から前記顎部１８に向かう方向に離隔していることが、図２で見られ得る。従って、前記フック又はラグの基端部のゾーンでのカラーの厚さを少なくとも収容するように、スペースが、前記当接面と保持部材との間に与えられている。幾つかの場合、示されている例のように、ラグの基端は、突出部であり、そして、前記保持部材と当接面との間を離隔するに際し、この突出部も、考慮される。
【００３５】
図２の双頭の矢印Ｄが、軸を示しおり、前記顎部が、この軸に沿って、プライヤを開閉させるように互いに対して移動される。前記レバー４６は、前記軸Ａ４６を中心にして回動し、この軸Ａ４６は、前記軸Ｄに平行に延びており、この結果、前記レバーは、前記軸Ｄを横切って移動される。
【００３６】
図３は、作動状態である保持位置における前記レバー４６を示している。前記シートバック部４２の幅Ｌは、カラーの軸方向に測定された前記フック２９又はラグ３０の幅にほぼ対応している。前記フック又はラグが、前記顎部と共同しているとき、各々の頬部４０Ｂ、４０Ｃにおいて前記シートバック部４２を規定する側面４２Ｂ、４２Ｃによって、前記フック又はラグが、前記顎部の横方向の軸（Ｔ）に沿って押し込まれている。
【００３７】
この状況で、前記レバー４６の自由端部４６Ａは、前記フック又はラグの下方に係合されていることが、理解され得る。前記保持位置で、前記自由端部４６Ａは、前記面４２Ｂから面４２Ｃに向かって突出している。前記レバー４６は、前記顎ピース４０の頬部４０Ｂに与えられているキャビティ５０に収容されている。示されている保持位置において、特に、図３及び４で、前記レバー４６の背面４６Ｃ、即ち、前記シートバック部４２から遠い、レバーの面が、前記キャビティ５０を前記頬部４０Ｃに対向している側で規定している壁５０Ａから、距離ｄだけ離隔していることが、見られ得る。他の側で、前記レバーは、前記面５０Ａに対面しているキャビティ５０の面に形成されている当接部５０Ｂによって保持される。前記当接部５０Ｂは、前記シートバック部４２中に進む（即ち、前記頬部４０Ｃに向かう）レバーの工程を規定する。
【００３８】
前記レバー４６は、弾性戻し手段によって、前記保持位置へと連続して付勢されており、この弾性戻し手段は、示されている例で、ばね５２で構成されており、このばね５２は、スタッド４８の周囲に配置されており、そして、前記キャビティ５０の壁５０Ａに当接している第１の端部５２Ａと、前記レバーの背面と共同する他の端部５２Ｂとを有する。
【００３９】
他の前記顎部１８に与えられている前記レバー４５は、前記レバー４６と同様の方法で、前記顎ピース３８の前記頬部３８Ｂに装着されている。従って、このレバー４５も、前記軸Ｄに平行な軸Ａ４５を中心にして回動するように装着されている。前記２つの顎部１８、２０は、同一であり、そして、前記レバー４５を有する前記頬部３８Ｂが、レバーを有さない前記頬部４０Ｃに対面しているように、また、前記レバー４６を有する前記頬部４０Ｂが、レバーを有さない前記頬部３８Ｃに対面しているように配置されている。示されている例で、各顎部は、１つの保持部材を装着されている。
【００４０】
上述した形態によって、前記保持レバー４５は、カラーの第１の長さ方向エッジに設けられている締め付け部材の１つ、即ち、カラーの前記フック２９と共同し得、一方、他の前記保持レバー４６は、カラーの他の長さ方向エッジに設けられている他の締め付け部材（この例では、前記ログ３０）と共同する。従って、カラーが、前記軸Ｄに平行なカラーの直径方向の面について傾けられることにより、前記ラグ及びフックが、前記プライヤの顎部から外れることが、防止される。
【００４１】
図５ないし７は、プライヤが、閉じられているときの状態を示している。前記２つの顎部は、共に移動され、前記頬部３８Ｂ、３８Ｃの前面によって規定されている前記顎ピース３８の前方端部３８’と、前記頬部４０Ｂ、４０Ｃの前面によって規定されている前記顎ピース４０の前方端部４０’が、接触される。
【００４２】
この接触は、前記レバー４５、４６の自由端部４５Ａ、４６Ａが、これらを有する前記顎ピースから少し突出しているという事実によって妨げられない。即ち、前記頬部４０Ｃの前面は、前記レバー４５の自由端部４５Ａの突出部分を収容するように働く小さなシートバック部４０’Ｃを有する。類似のシートバック部３８’Ｃが、前記頬部３８Ｃに与えられており、前記レバー４６の自由端部４６Ａの突出部分を収容しているところが、図５で見られ得る。
【００４３】
図５ないし７で示されている状況で、前記保持レバーは、夫々の外し位置をとっている。これは、図６でより明らかに見られ得、図６は、前記レバー４６が、前記キャビティ５０に引っ込められ、前記レバーの背面が、前記壁５０Ａに配置されているところを示している。
【００４４】
前記レバー４６は、付勢部材５４によって、前記外し位置に移動され、この付勢部材は、プライヤが閉じられていくとき、前記レバーを、前記キャビティに引っ込めることによって、回動させる。同様に、付勢部材５３が、プライヤが、閉じられていくとき、前記レバー４５を前記外し位置に移動させる。
【００４５】
前記付勢部材は、プライヤが、閉じられていくとき、夫々の保持部材と共同する。好ましくは、プライヤが実際に閉じられたときにのみ、２つの前記保持部材が、両方同時に外し位置を取り得るように、前記付勢部材は、配置されている。例えば、前記顎部２０のレバー４６と共同する前記付勢部材は、他の前記顎部１８に、又は、この例で示されているような他の付属部品に属している所定の部品であり得る。同様に、前記付勢部材５３は、前記顎部１８又は所定の付属部品に属し得る。
【００４６】
カラーを構成している部材によって、外し位置へと付勢されるような保持部材を提供することも可能である。即ち、フックと共同する保持部材は、ラグが、フックの下方に係合されたとき、ラグによって外し位置に付勢され得、一方、ラグと共同する他の保持部材は、ラグに達したフックによって、外し位置に付勢され得る。
【００４７】
図２と５とを比較することにより、プライヤを閉じていくとき、前記顎部は、カラーの中心に向かって起立するように傾くことが認識され得る。即ち、前記顎ピース３８、４０は、夫々、軸Ｂ３８、軸Ｂ４０を中心として数度の角度だけ回動し、これら軸Ｂ３８、Ｂ４０は、以下で述べる軸Ｂに直交している。
【００４８】
図２で、前記顎ピース３８、４０の背面３８Ｄ、４０Ｄは、前記当接アーム１４、１６の第１の当接面１４Ａ、１６Ａの夫々に当接している。
対して、図５で、前記背面３８Ｄ、４０Ｄは、前記第１の当接面１４Ａ、１６Ａから離隔しているが、夫々１４Ｂ、１６Ｂの第２の当接面に当接しており、これら第２の当接面は、第１の当接面に対して角度αだけ傾いている。カラーの締め付け中、前記フック２９及びラグ３０は、カラーの幾何学的な中心にほぼ対応している中心を有する円に沿って回転されることにより、互いに対して移動される。
【００４９】
前記顎部が、前記支持アーム１４、１６に対して固定されている場合、中心が軸Ａである円に沿って互いに対して移動され、この円は、当然、カラーの幾何学的中心に対して、カラーの他方の側に配置されるだろう。
【００５０】
従って、カラーの締め付け中、前記フック及びラグと、両方の顎部とは、反対の曲率の夫々の円に沿って移動される傾向があるだろう。しかし、前記顎部が、前記軸Ｂ３８、Ｂ４０の夫々を中心として互いに対して傾き得ることから、互いに対して移動されているとき、カラーをしっかりと保持しつつ、前記ホックと共に、また、前記ラグと共に移動されることが、可能とされており、即ち、傾くことにより、前記顎部が、カラーによって形成される円に沿って移動されることが可能にされている。
【００５１】
このような傾きを可能にするために、前記顎部を保持するための前記スタッド３８Ａ、４０Ａは、前記支持アームの夫々のボア１４Ｃ、１６Ｃ内で、隙間を有する状態で装着されている。前記スタッド３８Ａ、４０Ａは、夫々のねじクリップ５８、６０によってボア内で保持されており、これらねじクリップ５８、６０は、夫々のロックワッシャ−６２、６４を保持しており、これらロックワッシャ−６２、６４は、夫々の当接ワッシャ−６６、６８に当接しており、これら当接ワッシャ−６６、６８は、前記当接アームの背面で、前記ボア１４Ｃ、１６Ｃによって規定されている肩部に当接している。
【００５２】
前記ねじクリップ及びワッシャ−をねじワッシャ−に代えることが可能であり、ここで、前記スタッドは、このねじワッシャ−を通っており、また、このねじワッシャ−は、金属クリップによって、前記支持アームの背面に押圧されており、そして、前記ボア１４Ｃ、１６Ｃは、この背面で開口しており、さらに、前記ワッシャ−は、前記ステッドが、傾き得るように変形する。
【００５３】
図２で見られ得るように、前記顎部は、第１の当接面１４Ａ及び１６Ａに当接される当接位置に、夫々のばね７０、７２によって連続して付勢されており、これらばねの端部は、前記当接アームの夫々のボア７４、７６内で支持されており、また、これらばねは、前記ステッド２８Ａ、４８Ａの周囲で少なくとも一回巻かれており、前記顎ピースの背面に当接している。
【００５４】
前記顎部は、前記軸Ｄに沿って互いに接離するように移動され、この軸Ｄによって規定されている角度位置付け軸Ｂを中心として回動されることによって、角度を位置付けされ得る。即ち、幾何学的中心軸Ｃが、結合ピンのヒンジ軸Ａに平行であり、前記プライヤのアームの角度位置付け軸Ｂに直交するカラー２８を締めるように、前記プライヤの支持アームとアラインメントされている状態に配置されている前記顎部を、図９は、連続線で示している。例えば図９において一点鎖線で示されているような異なった角度に位置付けられ、幾何学的中心軸Ｃ’が、前記軸Ａと直交しているようなカラーを締めるように、前記顎部は、前記軸Ｂを中心として回動可能である。
【００５５】
本発明で、前記プライヤは、前記２つの顎部１８、２０を互いに接続しているための手段を有し、前記角度位置付け軸Ｂを中心として共に回動されるように、これら顎部を制約している。示されている好ましい実施形態で、これら手段は、前記顎部を互いに接続している、ヒンジ接続ピンで形成されており、ピンのヒンジは、もちろん、前記軸Ｂと平行でない。前記ヒンジ接続ピン８０は、前記プライヤが、開かれている状態（図２）にあるときに展開位置を、また、前記プライヤが、閉じられている状態（図５）にあるときに折畳み形態をとり得る。図２及び５で、前記顎ピースは、断面で示されているが、前記接続ピンは、外観で示されている。
【００５６】
前記プライヤを閉じること及びカラーを締めることが、妨げられるのを回避するために、前記ヒンジ結合ピン８０は、カラーと共同する当接面と、前記プライヤの角度位置付け軸に直交している、前記接続ピンのヒンジ軸Ａとの間に位置している前記顎部の所定の領域に配置されている。前記顎部を互いに接続し、前記軸Ｂを中心として共に回動させるように制約しているような摺動ロッドシステムを与えることも可能である。
【００５７】
示されている例で、前記結合ピンは、夫々のリンク８４、８６を介して各々の前記顎部を接続している硬質のピン部分８２を有する。そして、前記リンク８４は、前記軸Ｂに直交している軸Ａ８４中心として前記顎ピース４０に対して回動され得るように、前記顎ピース４０の２つの頬部４０Ｂと４０Ｃとの間に保持されている。前記ピン部分８２の第１の端部８２Ａは、前記軸Ａ８４に平行な軸Ｂ８４を中心として、前記リンク８４Ａに対して回動され得るように、前記リンク８４に保持されている。同様に、前記リンク８６は、軸Ａ８６中心として回動され得るように、前記頬部３８Ｂと３８Ｃとの間に配置されている一方で、前記ピン部分の端部８２Ｂは、軸Ｂ８６を中心として回動され得るように、前記リンク８６に保持されている。
【００５８】
前記顎部が、図９において連続線で示されている位置にあるとき、前記軸Ａ８４、Ｂ８４、Ａ８６、Ｂ８６は、前記プライヤの角度位置付け軸に直交する、前記結合ピンのヒンジ軸Ａと平行である。前記ヒンジ接続ピン８０の展開形態は、前記顎ピース４０の頬部４０Ｂ、４０Ｃと、前記顎ピース３８の頬部３８Ｂ、３８Ｃとの夫々に形成されている当接面に当接する前記ピン部分８２の底面８２’（前記当接面４４、４３から遠い面）によって規定される（図３）。
【００５９】
この位置で、前記軸Ｂ８４、Ｂ８６が、これら軸を有する前記顎ピースの背面から可能な限り離されるように、前記リンク８４、８６は、配置されている。前記プライヤが、閉じられたとき、図５に示されている位置に達するまで、前記軸Ｂ８４、Ｂ８６を、前記背面の夫々に近づけるように回動する前記リンク８４、８６により、前記ヒンジ接続ピンは、前記折畳み形態に移行する。
【００６０】
前記ピン部分８２は、スロット８５、８７を有し、これらスロットを通って、リンクが折畳まれることが可能にされている。上で示されたように、付勢部材５３、５４によって、前記レバー４５、５６は、前記プライヤが、閉じられたとき、外し位置に移動される。
【００６１】
好ましい例で、前記付勢部材は、前記ヒンジ接続ピンに、より正確には前記ピン部分８２に形成されている。前記プライヤが、閉じられたとき、前記ピン部分８２の長さ方向のエッジ（軸Ｂに平行）は、前記レバー４５、４６に夫々属する駆動面（夫々、４５Ｄ、４６Ｄ）に移動される。駆動部材が、出っ張り部で形成され、また、前記ピン部分８２の長さ方向のエッジに形成されており、これらの端部５３Ａ、５３Ｂは、前記レバー４５、４６の駆動面に接触する第１の面であり、斜面形状である。
【００６２】
図３と６とを比較することにより、前記ピン部分８２が、折畳み形態に移動されているとき、前記出っ張り部５４は、前記レバー４６が、図５で示されている前記外し位置に移動されるまで、前記レバー４６の駆動面４６Ｄに対して摺動され、また、前記２つの出っ張り部５３、５４は、夫々、前記レバー４５、４６と共同し、これら２つの保持レバーは、外し位置に移動されることが理解され得る。そして、ホックが、ラグに係合されたカラーは、前記顎部から引き抜かれ得る。
【００６３】
好ましくは、プライヤを閉じる前に前記顎部間にカラーを挿入することを容易にするために、前記保持レバー４６は、カラーの、ホックで構成されている部材と、ラグで構成されている部材との１つが、前記当接面４４に押圧されるとき、この部材と共同する斜面を有し、このため、この部材が、前記当接面に配置されるまで、前記保持レバー４６が、引っ込められている。この状態で、前記レバーは、保持位置を再び取り得る。このために、前記レバー４５、４６の端部４５Ａ、４６Ａは、丸められている。
【００６４】
示されている例で、前記プライヤの２つの顎部は、同一である。従って、前記フック２９とラグ３０とは、両方、前記プライヤの顎部の保持レバーによって保持される。
【００６５】
凹部２９’が、前記フック２９の下方に与えられており、前記レバー４５の作動状態の前記自由端部４５Ａを前記フックの下方に挿入することを可能にしている。そして、前記フックの後方部を形成している折畳み部分は、前記当接面４３に当接され、また、前面が、前記保持レバー４５によって保持されているため、前方に引き抜かれ得ない。
【００６６】
本発明のプライヤによって締められるカラーは、前記ラグの下方の凹部３０’も有する。前記ラグ３０が、僅かに「開いている」ことが図８で見られ得る。前記ラグを規定する２つの折畳み部分３０Ｂ、３０Ａが、これらの間に前記凹部３０’を与えるように離隔している。前記２つの折畳み部分の内面は、前記レバー４５又は４６の作動する自由端部の厚さに少なくとも等しい距離ｄだけ互いに離隔している。
【図面の簡単な説明】
【図１】
図１は、回動軸に沿って見た本発明のプライヤの側面図であり、この回転軸を中心にして前記プライヤのアームが、回動し、顎部と、この顎部を有する、前記アームの端部とが、前記アームの回動軸に垂直な断面で示されている。そして、クランプカラーが、前記顎部に係合されている状態で部分的に示されており、また、前記顎部は、前記プライヤの開かれている位置において、示されている。
【図２】
図２は、図１と同じ断面の前記顎部の拡大図である。
【図３】
図３は、図２の矢印ＩＩＩに沿って見た図である。
【図４】
図４は、図３のＩＶ−ＩＶ線の断面図である。
【図５】
図５は、前記プライヤの顎部の閉じられた位置に関する、図２に対応する図である。
【図６】
図６は、前記プライヤの顎部の閉じられた位置に関する、図３に対応する図である。
【図７】
図７は、前記プライヤの顎部の閉じられた位置に関する、図４に対応する図である。
【図８】
図８は、本発明のプライヤによって締められるクランプカラーの図である。
【図９】
図９は、図１の矢印ＩＸに沿って見た部分的な図である。
【図１】
2004515368.tif 000003
【図２】
2004515368.tif 000004
【図３】
2004515368.tif 000005
【図４】
2004515368.tif 000006
【図５】
2004515368.tif 000007
【図６】
2004515368.tif 000008
【図７】
2004515368.tif 000009
【図８】
2004515368.tif 000010
【図９】
2004515368.tif 000011
【国際公開パンフレット】
2004515368.tif 000012
2004515368.tif 000013
2004515368.tif 000014
2004515368.tif 000015
2004515368.tif 000016
2004515368.tif 000017
2004515368.tif 000018
2004515368.tif 000019
2004515368.tif 000020
2004515368.tif 000021
2004515368.tif 000022
2004515368.tif 000023
2004515368.tif 000024
2004515368.tif 000025
2004515368.tif 000026
2004515368.tif 000027
2004515368.tif 000028
2004515368.tif 000029
2004515368.tif 000030
2004515368.tif 000031
2004515368.tif 000032
2004515368.tif 000033
2004515368.tif 000034
【国際調査報告】
2004515368.tif 000035
2004515368.tif 000036
2004515368.tif 000037
2004515368.tif 000038
2004515368.tif 000039
2004515368.tif 000040